(57)【要約】      （修正有）【課題】多種多様な複雑化した情報をよりシンプルに素早く目的別に情報を伝えることを可能にする暗号方式を提供する。【解決手段】１．数字を暗号化することにより、情報の複雑化をさけ、シンプル表示を可能にする。２．検索エンジンにより、より早く情報の受送を可能にし、知名度をアップさせる。３．端末を通して経営統合をすることにより、事業の向上、推進を図る。【選択図】図１
2012234508.tif 000002
【特許請求の範囲】
【発明の詳細な説明】
Ｉ  課題
１．多種多様な複雑化した情報をよりシンプルにすばやく目的別に情報を伝える．
２．企業等における勧誘の経済面．時間・場所・空間のムダを省く．
高率良く集客できる．（第三次産業等における安全管理含む  患者ＩＤ及びコードＮＯ利用によるポイント制導入）
３．企業・機関等の経営向上．
ＩＩ  解決策
１．数字の暗号化（数字に意味を含ませ．簡略化を図る．）
数字を暗号化（ゴロあわせ等  コードＮＯ．）することにより．情報の複雑化をさけ．シンプル表示可能となる．
２．グーグル等検牽により．より早く情報の受送ができる．
知名度をアップさせる．（検牽回数含む）
（医療の現場における患者ＩＤ及びコードＮＯ．ＣＴ．ＭＲＩ等に利用）事例あり．別紙参照  Ｉ図
３．端末を通して経営統合（企業合併）をすることにより．事業の向上．推進を図る．（株価チェック）
コンサルタント業務（労務管理士等）
【図１】
2012234508.tif 000003
【図２】
2012234508.tif 000004
【手続補正書】
【提出日】平成23年8月25日(2011.8.25)
【手続補正２】
【補正対象書類名】明細書
【補正対象項目名】全文
【補正方法】変更
【補正の内容】
【発明の詳細な説明】
【技術分野】
【０００１】本発明はビジネスモデル特許事業に直結するためのアイデアに関する分野である。
【背景技術】
【０００２】従来の暗号にはＲＳＡ公開鍵暗号を施したものがある。【０００３】従来の広告方法には、バナー広告、ターゲティング広告等のアイデアを施した検索システムがある。
【先行技術文献】
【０００４】量子暗号  石井茂著  日経ＢＰ社  Ｐ２１６
【０００５】コンピュータのしくみを理解するための１０章  馬場敬信著  技術評論社
【特許文献１】公報（Ｂ２）特許第３６１３５５２号  請求項（第３項）
【特許文献２】ＲＳＡ暗号のアルゴリズム  １９８３年９月２０日（ＵＳＡ特許第４４０５８２９号）
【特許文献３】バナー広告（特許第２８９７１２７号）
【非特許文献】
【０００６】
【非特許文献１】ジョブズ  ＶＳ  松下幸之助“言葉力で人を動かす”竹内一正  アスキー新書
【非特許文献２】はじめての数論  ジョセフ・Ｈ  シルヴァーマン  鈴木治郎訳著  ピアソンエデュケーション社
【非特許文献３】岩波  数学辞典  第２版  Ｐ２３１  Ｐ３７９
【非特許文献４】ドラッカーの講義  Ｐ．Ｆ．ドラッカー著  宮本喜一訳  アチーブメント出版株式会社
【発明の概要】
【発明が解決しようとする課題】
【０００７】ＲＳＡ公開鍵暗号方式、従来の暗号では、不特定多数の利用者が自由に通信し合うことはできないが、この方法であれば共有できる。【０００８】大きな数を使うと離数対数問題の困難さから鍵を作ることができない。
量子コンピュータを誰もが使うようになれば公開鍵暗号は使えなくなるがこの方法ならば可能である。【０００９】多数のネットワークでは、伝送の速度、距離の点で大きな制約をうけるため長距離を伝送が困難であるが、短時間でこの暗号であれば可能である。【０００１０】医療の現場における患者の自己負担、経営者側の景気循環をふまえた、医療関係及び企業等連携による医療ポイント制の導入システムならば医療をスムース
2012234508.tif 000005
をもたらすことができる集客システムである。【０００１１】携帯端末（スマートフォン）とＴＶネットワークを繋ぐことにより、スポンサーシステムを導入（制御システムを利用）（パーソナルコンピュータ）
メディアポイント制を利用することにより、受信料、電波使用料の軽減をはかることができる。
【課題を解決するための手段】
【０００１２】ＲＳＡ公開鍵暗号方式のコンピュータ機能に着目するのでなく、数の概念に着目Ｃｌｏｃｋ  ｉｎ方式により送受信する。【０００１３】携帯端末、パーソナルコンピュータを通して端末合併（経営統合）する。
この場合企業名、企業株価コードを入力する。
グーグル検索によりワンディスプレイ広告システム＋Ｃｌｏｃｋ  ｉｎ方式によりクライアントにより早く情報を送受し打刻により、ポイント加算していくことにより経済効果を生む。【０００１４】医療の場面における医療ポイントシステムは、Ｎｏにより端末合併（経営統合）のシステムを利用し、ポイント加算していくシステムである。例えば患者ＩＤ、Ｎｏコードに、病院Ｎｏと企業Ｎｏ及び人材資本（個人の所有するＮｏ．１でも２でも良い）の情報を入力することによりその患者のスポンサーを決定する。Ｃｌｏｃｋ  ｉｎ方式により医療ポイント加算され、検査、入院費等に反映させる。強いては厚生省等医療費対策、企業の健康保険組合における医療費削減に貢献できる。【０００１５】携帯端末（スマートフォン）及びパーソナルコンピューターとＴＶネットワークを繋ぐことにより、メディアスポンサーシステムを展開する携帯端末合併（経営統合）により、ネットポイントシステムを導入し、受信料、電波使用料の負担の軽減ができる。又ネット＋ＴＶにより情報を同時に共有できる。
【発明の効果】
【０００１６】時刻打刻（ｃｌｏｃｋ  ｉｎ）暗号方式は、数字のアルゴリズム、文字のゴロ合わせにより誰でも自由自在に通信できるシステムである。
従来のＲＳＡ公開鍵暗号方式のコンピュータ機能に注目したシステムでなく、数の概念に着目したシステムであり、スマートフォンでなくとも、携帯の番号にもメッセージを含むことも可能である。【０００１７】
2012234508.tif 000006
クライアントＢに送受信することにより情報開示する従来の推論ターゲティングのように推論して検索していく必要がない、グーグル検索により短時間で情報を伝えられる（クライアントのネットワーク）及びＮｏ層別グループの企業間の端末合併（経営統合）を図り経営の活性化を目的、宣伝効果及び、経済効果を生む。【０００１８】〔００１６〕〔００１７〕をふまえて企業における集客システム及び医療の場面における層別グループスポンサーシステムにより、患者をサポートするシステムである
医療ポイントシステムにより、検査、入院費等に反映される。
検査の内容としては、ＣＴ、ＭＲＩ、Ｘ−Ｐ、ＧＩＦ、ＣＦ  又  手術、入院等費用。
何故ならば、患者自身のＩＤ、Ｎｏコード等にスポンサーＮｏの情報が入っており、全てにおいて反映されるわけである。企業等における勧誘の経済面、時間、場所、空間のムダを省き、高率良く集客できる。
医療、地域連携、患者の紹介（入院、検査）にあたっても  そのＮｏ、日、時、数の概念の共通公開により、情報が直ぐにつかめる。実際自らの勤務先の病院で私のシステムを使っており、患者自身も使っていただき、患者数も増し、高評をいただいた。
医療費の患者負担の軽減と厚生省等国の医療対策、企業の健康保険組合における医療費削減に貢献できる、又税務上の相乗効果【０００１９】携帯端末（スマートフォン）等及びパーソナルコンピュータとＴＶネットワークを繋ぐことにより、メディアスポンサーシステムを考案する。
層別グループスポンサーシステムによりメディアをサポート、クライアントはＴＶ局であったり新聞社等端末合併（経営統合）とＴＶ局Ｎｏをｃｌｏｃｋ  ｉｎ方式によりネットポイントシステムを導入することにより、受信料・電波使用料の軽減が図れる。例えば、クライアントＡ  ＴＶ局Ｎｏ２１でも２２でも良い
層別グループＮｏ３２をＣｌｏｃｋ  ｉｎするとしょう。Ｎｏ３２の情報が送受信される、スポンサーＮ３２の企業となる。
又、同時に情報を共有できる。
【図面の簡単な説明】
【０００２０】
【図１】携帯（スマートフォン等）及びパーソナルコンピューターの数字の概念を利用した端末合併（経営統合）システム図、及び医療ポイント制のイメージ図
【図２】Ｃｌｏｃｋ  ｉｎ方式による企業検索広告（ワンディスプレイ広告システム）図及びＴＶネットワーク  スポンサーシステム（ネットポイントシステム）のイメージ図。
【図３】端末合併（経営統合）とクライアントの相関関係図、クライアントに条件を加えた端末合併によって相関が強められる。
【図４】端末連結における制御システムのイメージ図。
【図５】医療連結ポイント制の概要図。
【発明を実施するための形態】
【０００２１】Ｃｌｏｃｋ  ｉｎ暗号方式
数字のアルゴリズムに着目し、携帯端末（スマートフォン）、パーソナルコンピュータ等サーバーを介して端末合併（経営統合）を図ることによる集客システムと税制分割
【０００２２】医療の場面におけるスポンサーシステム
医療ポイント制及び企業における集客システムと税制分割
【実施例】
【０００２３】ａ．医療ポイント制の実施例
図５参照、クライアントＡ（地元企業Ａ社）とクライアントＢ（某医療施設）とクライアントＣ（某社会福祉法人施設）を数字の概念によりＮｏ．３３のグループとする、若しくはＮｏ２２のグループとする。
ある患者Ｄ氏がＮｏ２２のグループをスポンサーとするならばその情報を患者ＩＤ、コードＮｏ、予約時間、年齢に反影させる。
例えばＮｏ．５９ならば国家公務員関係、合同庁舎に関与するとする、入院費等にも換算される。
ｂ．企業連結と宣伝効果
図２、図４参照、上記と同じく、クライアントＥ社（東商一部上場企業）とクライアントＦ社（地元中小企業）の連結をＮｏ１７のグループとする。携帯端末を介しサーバーを介して情報を送る場合Ｃｌｏｃｋ  ｉｎ  ○○時▲１▼▲７▼分にＰｉｃｋ  ｕｐする。広告等に利用する場合  電話番号として使用する、例えば商品の問い合わせ先は８８１−１７１７など、ゴロ合わせとしては、（早い、いいな、いいな）といった具合である。又  その情報を共有できなければならない。
又、政策、活動（政治活動における集客、税務上の相乗効果、就職支援等にも利用できる。）
【産業上の利用可能性】
【０００２４】上記の通り
数字の概念  Ｃｌｏｃｋ  ｉｎ方式により、
医療、企業、公共政策、政治活動（安全な集客）
税務上の相乗効果、就職支援、融資依頼等（例、ＪＡＬとスカイ）
企業等のバックアップ事業、海外への宣伝事業、アイデアの提供
【符号の説明】
【０００２５】図３の符号の説明
ｎ（クライアントＢ及びＣ）
Ｓ条件（ｅｘ企業名、公共政策ｅｔｃ）
ｒ相関関係
ｈ端末合併、連結（経営統合）
【受託番号】
【００２６】
【手続補正３】
【補正対象書類名】特許請求の範囲
【補正対象項目名】全文
【補正方法】変更
【補正の内容】
【特許請求の範囲】
【請求項１】
数のアルゴリズムに着目した、時刻打刻（ｃｌｏｃｋ  ｉｎ）公開暗号方式（年、月、日、郵便番号等）携帯端末（スマートフォン）、パーソナルコンピューター等のサーバーを介して情報を送受するＣｌｏｃｋ  ｉｎシステム。
【請求項２】
〔請求項１〕のシステムを利用し、携帯Ｎｏ．も含む、端末合併連結、Ｎｏ層別グループに分けて、クライアント、企業間の統合を図る。
端末合併（経営統合）システム及び連結システム。
【請求項３】
〔請求項１〕〔請求項２〕のシステムを利用した、クライアント。
企業の経営向上又は、公共政策、メッセージ等の情報開示方法
グーグル検索により短時間で送受信する（企業株価コード、個人Ｎｏ等）
ワンディスプレイ広告システムと企業のバックアップシステム。
【請求項４】
〔請求項１〕〔請求項２〕〔請求項３〕のシステムを利用した、患者をサポートする医療の場面における医療、地域連携、企業連携による。
医療ポイントシステムと企業における企業集客システムと税務相乗効果システム
【請求項５】
〔請求項１〕〔請求項２〕〔請求項３〕〔請求項４〕のシステムを利用した、端末とＴＶネットワークを繋ぐ制御システムによる、受信料、電波使用料の削減、軽減を目的とした、又はスポンサーを目的とした、メディアサポートシステム及びネットポイントシステムと税務相乗効果システム
【請求項６】
〔請求項１〕〔請求項２〕〔請求項３〕〔請求項４〕〔請求項５〕のシステムを
2012234508.tif 000007
ａ．景気循環（現代社会速度）＝景気の波の進む速さ×周期
ｈ＝Ｖ×Ｔ        （ｈ＝ｓ＋ｒ）…〔００２５〕参照して下さい。
2012234508.tif 000008
景気回復が遅ければ景気循環も遅くなる。周期Ｔ＝四曲面の流れも遅くなる。端末合併（経営統合）によって経済効果を生み景気回復につながる。
この場合の四曲面（キチン、コンドラチェフ、ジュグラー、クズネッツの景気循環を示す。）
【請求項７】
〔請求項６〕をふまえた税務相乗効果システム
【請求項８】
〔請求項１〕〜〔請求項７〕をふまえた政治活動集客システム
【手続補正４】
【補正対象書類名】図面
【補正対象項目名】全図
【補正方法】変更
【補正の内容】
【図１】
2012234508.tif 000009
【図２】
2012234508.tif 000010
【図３】
2012234508.tif 000011
【図４】
2012234508.tif 000012
【図５】
2012234508.tif 000013